【事件の表示】
　上記当事者間の登録第４１８２５５１号商標の商標登録無効審判事件について、次のとおり審決する。
【結　論】
　登録第４１８２５５１号の登録を無効とする。
　審判費用は被請求人の負担とする。
【理　由】
１　本件商標
　本件登録第４１８２５５１号商標（以下「本件商標」という。）は、「ＲＩＣＨＡＲＤ　ＶＡＬＥＮＴＩＮＯ」の文字（標準文字）を書してなり、平成９年６月１６日に登録出願、第２５類「履物」を指定商品として、同１０年８月２８日に設定登録されたものである。
　　
２ 引用商標
　請求人が引用する登録第１７８６８２０号商標（以下「引用Ａ商標」という。）は、「ＶＡＬＥＮＴＩＮＯ　ＧＡＲＡＶＡＮＩ」の欧文字を横書きしてなり、昭和４９年１０月１日に登録出願、第２２類「はき物（運動用特殊ぐつを除く）かさ、つえ、これらの部品および附属品」を指定商品として、同６０年６月５日に設定登録、同じく登録第１７８６８２１号商標（以下「引用Ｂ商標」という。）は、「ＧＡＲＡＶＡＮＩ　ＶＡＬＥＮＴＩＮＯ」の欧文字を横書きしてなり、同４９年１０月１日に登録出願、第２２類「はき物（運動用特殊ぐつを除く）かさ、つえ、これらの部品および附属品」を指定商品として、同６０年６月２５日に設定登録、同じく登録第８５２０７１号商標（以下「引用Ｃ商標」という。）は、やや図案化した「ＶＡＬＥＮＴＩＮＯ」の欧文字を横書きしてなり、昭和４３年６月５日に登録出願、第１７類「被服（運動用特殊被服を除く）布製身回品（他の類に属するものを除く）寝具類（寝台を除く）」を指定商品として、同４５年４月８日に設定登録、同じく登録第１４１５３１４号商標（以下「引用Ｄ商標」という。）は、「ＶＡＬＥＮＴＩＮＯ　ＧＡＲＡＶＡＮＩ」の欧文字を横書きしてなり、昭和４９年１０月１日に登録出願、第１７類「被服（運動用特殊被服を除く）布製身回品（他の類に属するものを除く）寝具類（寝台を除く）」を指定商品として、同５５年４月３０日に設定登録、同じく登録第９７２８１３号商標（以下「引用Ｅ商標」という。）は、「ＶＡＬＥＮＴＩＮＯ」の欧文字を横書きしてなり、昭和４５年４月１６日に登録出願（優先権主張オランダ国１９６９．１０．１６）、第２１類「宝玉、その他本類に属する商品」を指定商品として、同４７年７月２０日に設定登録されたものであるが、その後、指定商品中「かばん類、袋物」につき商標権の一部放棄がされ、平成２年６月２５日、その旨の本権の登録の一部抹消登録がされたものであり、同じく登録第１７９３４６５号商標（以下「引用Ｆ商標」という。）は、「ＶＡＬＥＮＴＩＮＯ　ＧＡＲＡＶＡＮＩ」の欧文字を横書きしてなり、昭和４９年１０月１日に登録出願、第２１類「装身具、ボタン類、かばん類、袋物、宝玉及びその模造品、造花、化粧用具」を指定商品として、同６０年７月２９日に設定登録、同じく登録第１４０２９１６号商標（以下「引用Ｇ商標」という。）は、「ＶＡＬＥＮＴＩＮＯ　ＧＡＲＡＶＡＮＩ」の欧文字を横書きしてなり、昭和４９年１０月１日に登録出願、第２７類「たばこ、喫煙用具、マッチ」を指定商品として、同５４年１２月２７日に設定登録されたものであって、いずれも商標権存続期間の更新登録がなされているものである。　　
　　
３　請求の趣旨及び請求人の主張
　請求人は、結論同旨の審決を求めると申し立て、その理由を概要次のように述べ、証拠方法として甲第１号証ないし同６１号証（枝番を含む。）を提出している。
（１）商標法第４条第１項第８号について
　請求人は、イタリアの服飾デザイナー「ＶＡＬＥＮＴＩＮＯ　ＧＡＲＡＶＡＮＩ」（ヴァレンティノ　ガラヴァーニ）の同意を得て、同氏のデザインに係る各種の商品を製作、販売しており、「ＶＡＬＥＮＴＩＮＯ　ＧＡＲＡＶＡＮＩ」或いは「ＶＡＬＥＮＴＩＮＯ」の欧文字からなるそれぞれの商標を各種商品について使用している者であるが、同氏は単に「ヴァレンティノ」（ＶＡＬＥＮＴＩＮＯ）と略称されており、この略称も本件商標の登録出願の日前より著名なものとなっている。
　すなわち、「ＶＡＬＥＮＴＩＮＯ　ＧＡＲＡＶＡＮＩ」（ヴァレンティノガラヴァニ）は、１９３２年イタリア国ボグヘラで誕生、１７才の時パりに行き、パリ洋裁学院でデザインの勉強を開始し、その後、フランスの有名なデザイナー「ジーン・デシス、ギ・ラ・ロシュ」の助手として働き、１９５９年ローマで自分のファッションハウスを開設した。１９６７年にはデザイナーとして最も栄誉ある賞といわれる「ファッションオスカー（ＦａｓｈｉｏｎＯｓｃａｒ）」を受賞し、ライフ誌、ニューヨークタイムズ誌、ニューズウィーク誌など著名な新聞、雑誌に同氏の作品が掲載された。これ以来、同氏は、イタリア・ファッションの第１人者としての地位を確立し、フランスのサンローランなどと並んで世界三大デザイナーと呼ばれ、国際的なトップデザイナーとして知られている。
　その後も同氏の作品は無地の服を得意とし、大胆な「白」と「素材」を特徴とし、その服飾品は芸術に値すると賞賛されており、その顧客には、レオーネ・イタリア大統領婦人、グレース・モナコ王妃、エリザベス・テーラー、オードリー・ヘップバーンなどの著名人も多い。同氏のデザイン活動は、婦人用、紳士用衣服を中心にネクタイ・シャツ・ハンカチーフ・マフラー・ショール・ブラウスなどの衣料用小物、バンド・ベルト・ネックレス・ペンダントなどの装身具、バッグ・さいふ・名刺入れその他のかばん類、その他サングラス、傘、スリッパなどの小物からインテリア装飾にも及んでいる。
　わが国においても、「ヴァレンティノ　ガラヴァニ」の名前は、１９６７年（昭和４２年）のファッションオスカー受賞以来知られるようになり、その作品はＶｏｇｕｅ誌などにより継続的に日本国内にも紹介されている。昭和４９年には三井物産株式会社の出資により同氏の日本及び極東地区総代理店として株式会社ヴァレンチィノヴティックジャパンが設立され、ヴァレンティノ製品を輸入、販売するに至り、同氏の作品は、我が国のファッション雑誌にもより数多く掲載されるようになり、著名なデザイナーとして一層注目されるに至っている。
　以上の通り、「ヴァレンティノ・ガラヴァニ」は、世界のトップデザイナーとして本件商標が出願された当時には、既に我が国においても著名であった。
　同氏の名前は、「ＶＡＬＥＮＴＩＮＯ　ＧＡＲＡＶＡＮＩ」「ヴァレンティノ・ガラヴァニ」とフルネームで表示され、このフルネームをもって紹介されることが多いが、同時に新聞、雑誌の記事や見出し中には、単に「ＶＡＬＥＮＴＩＮＯ」「ヴァレンティノ」と略称されてとりあげられることも多い（甲第７号証、同第８号証等）。
　しかるところ、本件商標は、その構成文字中、「ＶＡＬＥＮＴＩＮＯ」の文字が「ヴァレンティノ」と称呼されるものであることは明らかであるから、本件商標は「ＶＡＬＥＮＴＩＮＯ　ＧＡＲＡＶＡＮＩ」（ヴァレンティノ　ガラヴァーニ）の著名な略称を含む商標であり、その者の承諾を得ずに登録出願されていることは明らかである。
　したがって、本件商標の登録は、商標法第４条第１項第８号の規定に違反してされたものである。
（２）商標法第４条第１項第１１号について
　本件商標と引用Ａ商標とを比較検討するに、本件商標「ＲＩＣＨＡＲＤ ＶＡＬＥＮＴＩＮＯ」の欧文字は、その全体を称呼するときは「リチャードヴァレンティノ」の９音にも及ぶ冗長なものとなるばかりでなく、「リチュード」と「ヴァレンティノ」との間に段落を生ずるものであり、しかも上記のデザイナー「ＶＡＬＥＮＴＩＮＯ ＧＡＲＡＶＡＮＩ」氏の氏名が「ＶＡＬＥＮＴＩＮＯ 」（ヴァレンティノ）と略称されて著名なものとなっていることとも相俟って、これに接する取引者、需要者は、その構成文字中、取引者、需要者に親しまれている「ＶＡＬＥＮＴＩＮＯ」の文字に相応する「ヴァレンティノ」の称呼をもって、取引に当る場合が決して少なくないものとみるのが簡易迅速を尊ぶ取引の経験則に照らして極めて自然である。したがって、本件商標は「ヴァレンティノ」の称呼をも生ずるものといわざるをえない。
　一方、引用Ａ商標がその指定商品に使用された結果、全世界に著名なものとなっていることは甲第９号証をはじめとして、同第６１号証までの書証によっても明らかなところであって、引用Ａ商標は「ＶＡＬＥＮＴＩＮＯ ＧＡＲＡＶＡＮＩ」の文字を書してなるものあるが、その全体を称呼するときは「ヴァレンティノガラヴァーニ」の称呼を生ずるものであって、この称呼は冗長なものであるので、上記デザイナー「ＶＡＬＥＮＴＩＮＯ　ＧＡＲＡＶＡＮＩ」氏の氏名が「ＶＡＬＥＮＴＩＮＯ 」（ヴァレンティノ）と略称されて 著名なものとなっていることとも相俟って、その構成文字中、前半の「ＶＡＬＥＮＴＩＮＯ」の文字に相応する「ヴァレンティノ」の称呼をもって取引に資されている場合も決して少なくないのが実情である。すなわち、引用Ａ商標は「ヴルンティノ」の称呼をも生ずるものであるといわざるをえない。
　また、引用Ｂ商標は「ＧＡＲＡＶＡＮＩ ＶＡＬＥＮＴＩＮＯ」の欧文字を書してなるものであるが、その全体を称呼するときは「ガラヴァーニヴァレンティノ」の称呼を生ずるものであって、この称呼も冗長なものであるので、引用Ａ商標と同様に、その構成文字中、後半の「ＶＡＬＥＮＴＩＮＯ」の文字に相応する「ヴァレンティノ」の称呼をも生ずるものである。
　してみると、本件商標は引用Ａ商標及び引用Ｂ商標と「ヴァレンティノ」の称呼を共通にする類似の商標であり、また、本件商標の指定商品は両引用商標のそれと抵触するものであることは明らかであり、結局、本件商標の登録は、商標法第４条第１項第１１号の規定に違反してなされたものである。
（３）商標法第４条第１項第１５号について、
　引用Ｃ商標及び引用Ｄ商標は婦人服、紳士服、ネクタイ等の被服について使用されていること、引用Ｅ商標および引用Ｆ商標がベルト、その他の身飾品に使用されていること及び引用Ｇ商標がライターについて使用されていることは甲第９号証ないし同第６１号証によっても明らかであり、しかも、これらの登録商標も本件商標の登録出願の日前より全世界に著名なものとなっていることは甲第９号証ないし同第６１号証によっても明らかである。
　そして、本件商標と引用Ａ商標がその称呼上類似するものであることは上述のとおりであるから、本件商標は引用Ａ商標と同一の称呼をも生ずる引用Ｃ商標ないし引用Ｇ商標とその称呼上類似する商標であるといわざるをえない。また、本件商標の指定商品と各引用商標が使用されている上記の商品は何れも服飾品の範疇に属する密接な関係にある商品である。
　したがって、本件商標は、これを商標権者がその指定商品に使用した場合、その商品が恰も請求人の製造、販売等の業務に係る商品であるか、又は請求人と経済的或は組織的に何等かの関係にある者、すなわち姉妹会社等の関係にある者の業務に係る商品であるかの如く、その出所について混同を生ぜしめるおそれがあるものである。故に本件商標の登録は商標法第４条第１項第１５号の規定に違反してなされたものである。
　　
４　被請求人の答弁
　被請求人は何等答弁していない。
　　
５　当審の判断
 （１）ＶＡＬＥＮＴＩＮＯ標章の著名性について
　本件審判請求の理由及び甲第７号証及び同第１３号証ないし同第５６号証（枝番を含む。）を総合してみるに、以下の事実が認められる。
ａ）ヴァレンティノ　ガラヴァーニ（Ｖａｌｅｎｔｉｎｏ　Ｇａｒａｖａｎｉ）は、１９３２年イタリア国ボグヘラで誕生、１７才の時パリに行き、パリ洋裁学院でデザインの勉強を開始し、その後フランスの有名なデザイナー「ジーン・デシス、ギ・ラ・ロシュ」の助手として働き、１９５９年ローマで自分のファッションハウスを開設した。１９６７年にはデザイナーとして最も栄誉ある賞といわれる「ファッションオスカー（Ｆａｓｈｉｏｎ　Ｏｓｃａｒ）」を受賞し、ライフ誌、ニューヨークタイムズ誌、ニューズウィーク誌などの新聞、雑誌に同氏の作品が掲載された。これ以来、同氏は、イタリア・ファッション界の第１人者となり、サンローランなどと並んで世界三大デザイナーとも呼ばれるようになった。
　そして、請求人は、ヴァレンティノ　ガラヴァーニのデザインに係る紳士服、婦人服等の商品を製造・販売していて、その商品に「ＶＡＬＥＮＴＩＮＯ　ＧＡＲＡＶＡＮＩ」「ＶＡＬＥＮＴＩＮＯ」の文字よりなる標章（以下これらを「ＶＡＬＥＮＴＩＮＯ標章」という。）を使用している。
ｂ）我が国においては、昭和４９年に「株式会社ヴァレンティノヴティックジャパン」が設立され、以来、ヴァレンティノ　ガラヴァーニのデザインに係る紳士服、婦人服等の商品が同社により輸入・販売されている。
ｃ）例えば、甲第７号証４ないし３２は、主に昭和５１年９月〜同１１月にかけて発行された新聞等におけるヴァレンティノ　ガラヴァーニのデザインに係る紳士服、婦人服の紹介記事を抜粋したと認められるものであるが、その紹介記事の見出しに、「鮮やか黒いファッション　ヴァレンティノ秋冬ショー」（繊研新聞、昭和５１年９月２８日版）、「世界のＶＩＰ女性愛用のヴァレンティノ・コレクション発表」（日刊ゲンダイ、昭和５１年１０月２日版）、「伊の鬼才ヴァレンティノ　これが７６年秋冬の新作」（日経産業新聞、昭和５１年１０月６日版）との記載があり、また、「世界の一流品大図鑑’８５年版」（甲第１５号証）中の「ＶＡＬＥＮＴＩＮＯ　ＧＡＲＡＶＡＮＩ（ヴァレンティノ　ガラヴァーニ）」の標章が記載された項における紹介記事においては、「・・・魅惑的で優美な衣裳作りを心がけているというヴァレンティノ。（婦人服）」、「シーズン毎にカジュアルシューズも発表しているヴァレンティノですが、・・・（紳士靴）」との記載、同じく「男の一流品大図鑑’８５年版」（甲第１６号証）においては、「・・・オフタイムこそ、ヴァレンティノで洒落てみたい。（紳士用ベルト）」との記載、さらに、「２５ａｎｓ　１９８７年１０月号」（甲第２２号証）においても、「・・・ヴァレンティノの服は、このスカート丈とニット素材というカジュアル要素を持ちながらも、・・・」等の記載があるように、ＶＡＬＥＮＴＩＮＯ標章が「ＶＡＬＥＮＴＩＮＯ（ヴァレンティノ）」の商標と呼ばれ、そのデザイナーである「Ｖａｌｅｎｔｉｎｏ　Ｇａｒａｖａｎｉ」も「ＶＡＬＥＮＴＩＮＯ（ヴァレンティノ）」と呼ばれ、その名で知られていることを前提とした記事が多数掲載されている。
　以上の事実によれば、本件商標の登録出願時の平成９年には、ＶＡＬＥＮＴＩＮＯ標章は、「ＶＡＬＥＮＴＩＮＯ（ヴァレンティノ）」の商標として、また、デザイナーのヴァレンティノ　ガラヴァーニ（Ｖａｌｅｎｔｉｎｏ　Ｇａｒａｖａｎｉ）も「ＶＡＬＥＮＴＩＮＯ（ヴァレンティノ）」と呼ばれて、紳士服、婦人服等について、同人のデザインに係る商品に付される商標ないしは同人の略称として、取引者、需要者の間に広く認識されていたものということができる。そして、該「ＶＡＬＥＮＴＩＮＯ（ヴァレンティノ）」の著名性は、現在も継続していると認められるものである。
（２）出所の混同について
　本件商標は、前記のとおりであるところ、「ＲＩＣＨＡＲＤ　ＶＡＬＥＮＴＩＮＯ」の欧文字が１６文字であり、これより生ずる「リチャードバレンティノ」の称呼も９音であって、その構成文字又は称呼のいずれよりみても、一つの名称のものとしては冗長というべきである。さらに、本件商標は、全体として特定の熟語や氏名を表すものとして一般の取引者、需要者によく知られているというような事情も認められない。
　そして、前記（１）のとおり、本件商標の登録出願時には、既に、ＶＡＬＥＮＴＩＮＯ標章が「ＶＡＬＥＮＴＩＮＯ（ヴァレンティノ）」の商標と、また、ヴァレンティノ　ガラヴァーニ（Ｖａｌｅｎｔｉｎｏ　Ｇａｒａｖａｎｉ）が「ＶＡＬＥＮＴＩＮＯ（ヴァレンティノ）」とも呼ばれて、紳士服、婦人服等について、同人のデザインに係る商品に付される商標ないしは同人の略称として著名であったこと及びＶＡＬＥＮＴＩＮＯ標章が付される商品「紳士服、婦人服」等と本件商標の指定商品は、共にファッション関連の商品であって、同一又は高い関連性がある商品といい得るものであること等を併せ考慮すれば、本件商標をその指定商品に使用するときは、これに接する取引者・需要者は、その構成中後半の「ＶＡＬＥＮＴＩＮＯ」「バレンティノ」の文字のみを捉え、著名なＶＡＬＥＮＴＩＮＯ標章を連想、想起し、それがヴァレンティノ　ガラヴァーニ又は同人と何らかの関係がある者の業務に係るものであるかのように、その商品の出所について混同を生ずるおそれがあったものと判断するのが相当である。
　また、この混同を生ずるおそれは、本件商標の登録出願時から現在においても継続しているものと認められる。
　したがって、本件商標は、商標法第４条第１項第１５号に違反して登録されたものであるから、同法第４６条第１項の規定により、その登録を無効とすべきものである。
　よって、結論のとおり審決する。